(57)【要約】【課題】無線信号の受信側装置における受信品質を保ちつつリンク断を救済すること。【解決手段】無線通信装置において受信部は、自無線通信装置と複数のリンクを介して接続された制御装置から送信される、無線送信の対象である複数のデータ列を受信する。算出部は、複数のリンクの各々のデータ列毎の回線品質を算出する。選択部は、複数のリンクのうち一部のリンクにリンク断が生じた場合、一部のリンク以外の他のリンクで伝送される複数のデータ列の中から、回線品質が所定条件を満たすデータ列である第１のデータ列を選択する。指示部は、制御装置が一部のリンクで伝送すべきデータ列を他のリンクへ転送する場合、第１のデータ列を圧縮する旨を制御装置に対して指示する。【選択図】図２
2017079380.tif 000002
【特許請求の範囲】
【請求項１】
自無線通信装置と複数のリンクを介して接続された制御装置から送信される、無線送信の対象である複数のデータ列を受信する受信部と、
前記複数のリンクの各々の前記データ列毎の回線品質を算出する算出部と、
前記複数のリンクのうち一部のリンクにリンク断が生じた場合、前記一部のリンク以外の他のリンクで伝送される前記複数のデータ列の中から、前記回線品質が所定条件を満たすデータ列である第１のデータ列を選択する選択部と、
前記制御装置が前記一部のリンクで伝送すべきデータ列を前記他のリンクへ転送する場合、前記第１のデータ列を圧縮する旨を前記制御装置に対して指示する指示部と
を有することを特徴とする無線通信装置。
【請求項２】
複数の前記第１のデータ列が前記制御装置において圧縮された複数の圧縮データ列が前記受信部によって受信される場合、前記複数の圧縮データ列を解凍し複数の前記第１のデータ列を復元する解凍部と、
前記複数の圧縮データ列の各々の解凍にかかる解凍時間を測定する測定部と、
前記解凍時間を用いて、前記復元された複数の前記第１のデータ列の無線送信タイミングを同期させるタイミング制御部と
をさらに有することを特徴とする請求項１に記載の無線通信装置。
【請求項３】
無線通信装置と複数のリンクを介して接続された制御装置から送信される、無線送信の対象である複数のデータ列を受信し、
前記複数のリンクの各々の前記データ列毎の回線品質を算出し、
前記複数のリンクのうち一部のリンクにリンク断が生じた場合、前記一部のリンク以外の他のリンクで伝送される前記複数のデータ列の中から、前記回線品質が所定条件を満たすデータ列である第１のデータ列を選択し、
前記制御装置が前記一部のリンクで伝送すべきデータ列を前記他のリンクへ転送する場合、前記第１のデータ列を圧縮する旨を前記制御装置に対して指示する、
ことを特徴とするリンク断救済方法。
【発明の詳細な説明】
【技術分野】
【０００１】
本発明は、無線通信装置及びリンク断救済方法に関する。
【背景技術】
【０００２】
近年、通信システムにおいて、無線信号を送受信する無線通信装置と、無線通信装置の監視制御等を実行する制御装置との２つの装置で構成される分離型の基地局装置が広く普及している。無線通信装置は、ＲＥ（Radio  Equipment）と呼ばれ、制御装置は、ＲＥＣ（Radio  Equipment  Controller）と呼ばれる。分離型の基地局装置では、伝送容量の増大の観点から、無線通信装置と制御装置とが、複数のリンク（例えば、光ケーブル）を介して接続されることがある。これら無線通信装置と制御装置との接続は、例えば、Ｃｏｍｍｏｎ  Ｐｕｂｌｉｃ  Ｒａｄｉｏ  Ｉｎｔｅｒｆａｃｅ（ＣＰＲＩ）と呼ばれる仕様に従う。無線通信装置と制御装置とを接続する複数のリンクは、制御装置から送信される複数のデータ列を無線通信装置へ伝送する。
【０００３】
無線通信装置と制御装置とが複数のリンクを介して接続される構造では、複数のリンクのうち一部のリンクにリンク断が生じた場合、他のリンクを用いてリンク断を救済することが行われる。例えば、一部のリンクにリンク断が生じた場合に、無線通信装置の複数のアンテナのうち一部のアンテナの動作を停止させて、一部のリンク以外の他のリンクの空き容量を確保し、一部のリンクで伝送すべきデータ列を他のリンクへ転送する従来技術がある。
【先行技術文献】
【特許文献】
【０００４】
【特許文献１】国際公開第２００８／１４６３９４号
【発明の概要】
【発明が解決しようとする課題】
【０００５】
しかしながら、従来技術では、無線信号の受信側装置における受信品質を保ちつつリンク断を救済することまでは考慮されていない。
【０００６】
すなわち、従来技術では、他のリンクの空き容量を用いてリンク断を救済することができるものの、一部のアンテナの動作の停止に伴って、他のリンクで伝送される複数のデータ列にデータ欠落部分が生じる可能性がある。このデータ欠落部分の発生は、最終的に無線信号を受信する受信側装置（つまり、端末）での受信品質を低下させる要因となり得る。
【０００７】
開示の技術は、上記に鑑みてなされたものであって、無線信号の受信側装置における受信品質を保ちつつリンク断を救済することができる無線通信装置及びリンク断救済方法を提供することを目的とする。
【課題を解決するための手段】
【０００８】
本願の開示する無線通信装置は、一つの態様において、受信部と、算出部と、選択部と、指示部とを有する。前記受信部は、自無線通信装置と複数のリンクを介して接続された制御装置から送信される、無線送信の対象である複数のデータ列を受信する。前記算出部は、前記複数のリンクの各々の前記データ列毎の回線品質を算出する。前記選択部は、前記複数のリンクのうち一部のリンクにリンク断が生じた場合、前記一部のリンク以外の他のリンクで伝送される前記複数のデータ列の中から、前記回線品質が所定条件を満たすデータ列である第１のデータ列を選択する。前記指示部は、前記制御装置が前記一部のリンクで伝送すべきデータ列を前記他のリンクへ転送する場合、前記第１のデータ列を圧縮する旨を前記制御装置に対して指示する。
【発明の効果】
【０００９】
本願の開示する無線通信装置の一つの態様によれば、無線信号の受信側装置における受信品質を保ちつつリンク断を救済することができるという効果を奏する。
【図面の簡単な説明】
【００１０】
【図１】図１は、本実施例の無線通信システムの一例を示すブロック図である。
【図２】図２は、本実施例の制御装置及び無線通信装置の一例を示すブロック図である。
【図３】図３は、データ列毎の回線品質に関する情報の一例を示す図である。
【図４】図４は、光通信フレームのうち複数の圧縮データ列がマッピングされている部分の一例を示す図である。
【図５】図５は、複数の圧縮データ列の各々の解凍にかかる解凍時間に関する情報の一例を示す図である。
【図６】図６は、本実施例の無線通信装置によるリンク断救済処理の処理動作の一例を示すフローチャートである。
【図７】図７は、本実施例の無線通信装置によるリンク断救済処理の処理動作の一例を示すフローチャートである。
【図８】図８は、本実施例の無線通信装置による無線送信タイミング制御処理の処理動作の一例を示すフローチャートである。
【図９】図９は、無線通信装置のハードウェア構成例を示す図である。
【発明を実施するための形態】
【００１１】
以下に、本願の開示する無線通信装置及びリンク断救済方法の実施例を図面に基づいて詳細に説明する。なお、この実施例により開示技術が限定されるものではない。また、実施例において同一の機能を有する構成には同一の符号を付し、重複する説明は省略される。
【実施例】
【００１２】
［無線通信システムの構成例］
図１は、本実施例の無線通信システムの一例を示すブロック図である。図１において、無線通信システムは、制御装置１０と、無線通信装置５０と、端末９０とを有する。制御装置１０と無線通信装置５０とは、光リンクＬ１〜Ｌ３によって接続されている。制御装置１０と無線通信装置５０との接続は、例えばＣＰＲＩと呼ばれる仕様に従う。制御装置１０と無線通信装置５０とは、基地局に含まれる。無線通信装置５０は、複数のアンテナを有している。また、無線通信装置５０と端末９０とは、無線によって接続されている。
【００１３】
制御装置１０は、複数のデータ列を光通信フレーム（例えば、ＣＰＲＩフレーム）にマッピングして、複数のデータ列を、光リンクＬ１〜Ｌ３を介して無線通信装置５０へ送信する。光リンクＬ１〜Ｌ３には、互いに異なる周波数帯がそれぞれ割り当てられている。例えば、光リンクＬ１に対応する周波数帯は、２ＧＨｚ帯であり、光リンクＬ２に対応する周波数帯は、１．５ＧＨｚ帯であり、光リンクＬ３に対応する周波数帯は、７００ＭＨｚ帯である。また、複数のデータ列は、無線通信装置５０による無線送信の対象である複数のデータ列であり、各データ列は、ＣＰＲＩ仕様によればアンテナキャリア（ＡｘＣ）と呼ばれる。１つのＡｘＣは、１つのアンテナと１つのキャリアとの組みに対応するデータ列を表す。
【００１４】
また、制御装置１０は、光リンクＬ１〜Ｌ３のうち一部の光リンクにリンク断が生じた場合、その一部の光リンクで伝送すべきデータ列を他の光リンクへ転送する。このようなリンク断に伴う制御装置１０におけるデータ列の転送を、以下では適宜「転送処理」とよぶことがある。
【００１５】
無線通信装置５０は、制御装置１０から送信された複数のデータ列を受信する。そして、無線通信装置５０は、光リンクＬ１〜Ｌ３の各々のデータ列毎の回線品質を算出する。例えば、無線通信装置５０は、光リンクＬ１に対応する周波数帯が２ＧＨｚ帯である場合、無線通信装置５０の１つのアンテナと、２ＧＨｚ帯の一単位である２０ＭＨｚのキャリアとの組みに対応するデータ列（つまり、ＡｘＣ）毎の回線品質を算出する。回線品質としては、例えば、ＡｘＣの品質を表す指標値であるＥＶＭ（Error  Vector  Magnitude）が算出される。
【００１６】
そして、無線通信装置５０は、複数の光リンクのうち一部の光リンクにリンク断が生じた場合、その一部の光リンク以外の他の光リンクで伝送される複数のデータ列の中から、算出した回線品質が所定条件を満たすデータ列である「高品質データ列」を選択する。例えば、無線通信装置５０は、回線品質としてのＥＶＭが閾値以下であるデータ列を「高品質データ列」として選択する。
【００１７】
そして、無線通信装置５０は、リンク断の発生に応じて制御装置１０が一部の光リンクで伝送すべきデータ列を他の光リンクへ転送する場合、選択した「高品質データ列」を圧縮する旨を制御装置１０に対して指示する。例えば、光リンクＬ１にリンク断が生じ、かつ、制御装置１０が、光リンクＬ１で伝送すべきデータ列を光リンクＬ２，Ｌ３へ転送する場合を想定する。この場合、無線通信装置５０は、光リンクＬ２，Ｌ３で伝送される複数のデータ列の中から選択した「高品質データ列」を圧縮する旨を制御装置１０に対して指示する。これにより、制御装置１０によって「高品質データ列」が圧縮されるので、制御装置１０における転送処理に適用される空き容量が光リンクＬ２，Ｌ３に確保される。
【００１８】
以上のように、無線通信装置５０は、リンク断が生じた一部の光リンク以外の他の光リンクで伝送される複数のデータ列の中から、高品質データ列を選択し、制御装置１０における転送処理時に、高品質データ列を圧縮するよう制御装置１０に指示する。これにより、制御装置１０によって高品質データ列が圧縮されるので、他の光リンクで伝送されるデータ列にデータ欠落部分を発生させることなく、制御装置１０における転送処理に適用される空き容量が他の光リンクに確保される。その結果、無線信号の受信側装置（つまり、端末９０）における受信品質を保ちつつリンク断を救済することができる。
【００１９】
［制御装置及び無線通信装置の構成例］
図２は、本実施例の制御装置及び無線通信装置の一例を示すブロック図である。図２において、制御装置１０は、ベースバンド（ＢＢ：Baseband）処理部１１−１〜１１−３と、セレクタ１２と、圧縮部１３−１〜１３−３と、光インタフェース（ＩＦ：Interface）部１４−１〜１４−３と、転送制御部１５とを有する。
【００２０】
ＢＢ処理部１１−１〜１１−３は、無線通信装置５０による無線送信の対象である複数のデータ列に対してベースバンド処理（符号化処理及び変調処理等）を施し、ベースバンド処理後の複数のデータ列をセレクタ１２へ出力する。具体的には、ＢＢ処理部１１−１は、複数のデータ列のうち、２ＧＨｚ帯に対応する第１データ列に対してベースバンド処理を施し、ベースバンド処理後の第１データ列をセレクタ１２へ出力する。ＢＢ処理部１１−２は、複数のデータ列のうち、１．５ＧＨｚ帯に対応する第２データ列に対してベースバンド処理を施し、ベースバンド処理後の第２データ列をセレクタ１２へ出力する。ＢＢ処理部１１−３は、複数のデータ列のうち、７００ＭＨｚ帯に対応する第３データ列に対してベースバンド処理を施し、ベースバンド処理後の第３データ列をセレクタ１２へ出力する。
【００２１】
セレクタ１２は、転送制御部１５の制御に従って、ＢＢ処理部１１−１〜１１−３と圧縮部１３−１〜１３−３との間の接続を切り替える。これにより、ＢＢ処理部１１−１〜１１−３から入力される複数のデータ列が所望の転送先へ転送される。
【００２２】
圧縮部１３−１〜１３−３は、無線通信部５０の後述する指示部５９からの「圧縮指示信号」を受け取ると、セレクタ１２から入力される複数のデータ列のうち、「圧縮指示信号」で指定された「高品質データ列」を圧縮する。例えば、圧縮部１３−１〜１３−３は、ハフマン符号を用いて、「高品質データ列」を圧縮する。そして、圧縮部１３−１〜１３−３は、「高品質データ列」が圧縮されて得られる「圧縮データ列」を含む複数のデータ列を対応する光ＩＦ部１４−１〜１４−３へ出力する。なお、圧縮部１３−１〜１３−３は、「圧縮指示信号」を受け取っていない場合、セレクタ１２から入力される複数のデータ列を圧縮することなく光ＩＦ部１４−１〜１４−３へ出力する。
【００２３】
光ＩＦ部１４−１〜１４−３は、圧縮部１３−１〜１３−３から入力される複数のデータ列、又は、「圧縮データ列」を含む複数のデータ列を、光通信フレーム（例えば、ＣＰＲＩフレーム）にマッピングする。そして、光ＩＦ部１４−１〜１４−３は、複数のデータ列、又は、「圧縮データ列」を含む複数のデータ列を、光リンクＬ１〜Ｌ３を介して無線通信装置５０へ送信する。
【００２４】
転送制御部１５は、光リンクＬ１〜Ｌ３のうち一部の光リンクにリンク断が生じた場合、その一部の光リンクで伝送すべきデータ列を他の光リンクへ転送する。具体的には、転送制御部１５は、光リンクＬ１〜Ｌ３の各々の接続状態を管理するためのテーブルを有し、テーブルを用いてリンク断を検知する。そして、転送制御部１５は、セレクタ１２を制御して、リンク断が生じた一部の光リンクで伝送すべきデータ列を他の光リンクへ転送する。
【００２５】
また、図２において、無線通信装置５０は、光ＩＦ部５１−１〜５１−３と、解凍部５２−１〜５２−３と、バッファ５３−１〜５３−３と、セレクタ５４と、無線送信部５５−１〜５５−３と、転送制御部５６とを有する。また、無線通信装置５０は、算出部５７−１〜５７−３と、選択部５８と、指示部５９と、測定部６１−１〜６１−３と、タイミング制御部６２とを有する。
【００２６】
光ＩＦ部５１−１〜５１−３は、制御装置１０から送信された光信号（つまり、光通信フレーム）を受信し、受信した光通信フレームを電気信号に変換する。光ＩＦ部５１−１〜５１−３は、受信した光通信フレームに含まれる、複数のデータ列、又は、「圧縮データ列」を含む複数のデータ列を抽出して、解凍部５２−１〜５２−３へ出力する。
【００２７】
解凍部５２−１〜５２−３は、光ＩＦ部５１−１〜５１−３から入力される複数のデータ列に「圧縮データ列」が含まれると、「圧縮データ列」を解凍することにより「高品質データ列」を復元し、「高品質データ列」をバッファ５３−１〜５３−３へ出力する。解凍部５２−１〜５２−３は、光ＩＦ部５１−１〜５１−３から入力される複数のデータ列に複数の「圧縮データ列」が含まれる場合、すなわち、光ＩＦ部５１−１〜５１−３によって複数の「圧縮データ列」が受信される場合、以下の処理を行う。すなわち、解凍部５２−１〜５２−３は、複数の「圧縮データ列」を解凍することにより複数の「高品質データ列」を復元し、復元した複数の「高品質データ列」をバッファ５３−１〜５３−３へ出力する。なお、解凍部５２−１〜５２−３は、光ＩＦ部５１−１〜５１−３から入力される複数のデータ列に「圧縮データ列」が含まれない場合、バッファ５３−１〜５３−３を経由させることなく複数のデータ列をセレクタ５４へ出力する。
【００２８】
バッファ５３−１〜５３−３は、解凍部５２−１〜５２−３から入力される「高品質データ列」をバッファし、タイミング制御部６２からの「同期制御信号」に基づくタイミングで「高品質データ列」をそれぞれセレクタ５４へ出力する。
【００２９】
セレクタ５４は、転送制御部５６の制御に従って、解凍部５２−１〜５２−３又はバッファ５３−１〜５３−３と無線送信部５５−１〜５５−３との間の接続を切り替える。これにより、解凍部５２−１〜５２−３又はバッファ５３−１〜５３−３から入力される複数のデータ列が所望の転送先へ転送される。
【００３０】
無線送信部５５−１〜５５−３は、セレクタ５４から入力される複数のデータ列に対して所定の無線送信処理（デジタルアナログ変換処理、アップコンバート処理、増幅処理等）を施して、得られた無線信号を複数のアンテナを介して送信する。
【００３１】
転送制御部５６は、制御装置１０の転送制御部１５と連携することによって、光リンクＬ１〜Ｌ３のうち一部の光リンクにリンク断が生じた場合、その一部の光リンクで伝送すべきデータ列を他の光リンクに対応する無線送信部へ転送する。具体的には、転送制御部５６は、制御装置１０の転送制御部１５との間で共有されるテーブルであって、光リンクＬ１〜Ｌ３の各々の接続状態を管理するためのテーブルを有し、テーブルを用いてリンク断を検知する。そして、転送制御部１５は、セレクタ５４を制御して、リンク断が生じた一部の光リンクで伝送すべきデータ列を他の光リンクに対応する無線送信部５５−１〜５５−３へ転送する。また、転送制御部５６は、リンク断が生じた旨を選択部５８及び指示部５９へ通知する。
【００３２】
算出部５７−１〜５７−３は、光リンクＬ１〜Ｌ３の各々のデータ列毎の回線品質を算出する。例えば、光リンクＬ１に対応する周波数帯が、それぞれ、２ＧＨｚ帯である場合を想定する。この場合、算出部５７−１は、無線送信部５５−１の１つのアンテナと、２ＧＨｚ帯の一単位である２０ＭＨｚのキャリアとの組みに対応するデータ列（つまり、ＡｘＣ）毎の回線品質を算出する。回線品質としては、例えば、ＡｘＣの品質を表す指標値であるＥＶＭが算出される。そして、算出部５７−１〜５７−３は、算出したデータ列毎の回線品質に関する情報を選択部５８へ出力する。
【００３３】
図３は、データ列毎の回線品質に関する情報の一例を示す図である。図３に示す情報では、「ＣＰＲＩ  Ｌｉｎｋ  Ｎｏ．」、「ＡｘＣ  Ｎｏ．」及び「ＥＶＭ（％）」が対応付けられる。「ＣＰＲＩ  Ｌｉｎｋ  Ｎｏ．」は、光リンクＬ１〜Ｌ３の各々を識別するための識別子である。「ＡｘＣ  Ｎｏ．」は、光リンクＬ１〜Ｌ３の各々で伝送されるデータ列（つまり、ＡｘＣ）を識別するための識別子である。「ＥＶＭ（％）」は、データ列の回線品質であるＥＶＭを示す。
【００３４】
図３では、例えば、ＣＰＲＩ  Ｌｉｎｋ  Ｎｏ．が「１」である光リンクＬ１で伝送される、ＡｘＣ  Ｎｏ．「１」に対応するデータ列のＥＶＭが、「７．８」％であることを示している。
【００３５】
選択部５８は、光リンクＬ１〜Ｌ３のうち一部の光リンクにリンク断が生じた場合、一部の光リンク以外の他の光リンクで伝送される複数のデータ列の中から、回線品質が所定条件を満たすデータ列である「高品質データ列」を選択する。具体的には、選択部５８は、リンク断が生じた旨を転送制御部５６から通知されると、算出部５７−１〜５７−３で算出されたデータ列毎の回線品質を用いて、他の光リンクで伝送される複数のデータ列の中から、ＥＶＭが閾値以下である高品質データ列を選択する。
【００３６】
ここで、図３を用いて選択部５８による処理の一例を説明する。図３の例では、ＥＶＭの閾値が、５．０％であるものとする。また、図３の例では、光リンクＬ１〜Ｌ３のうち光リンクＬ１にリンク断が生じた場合を説明する。選択部５８は、光リンクＬ１にリンク断が生じると、他の光リンクである光リンクＬ２，Ｌ３で伝送される複数のデータ列の中から、ＥＶＭが閾値「５．０」％以下である高品質データ列を選択する。すなわち、選択部５８は、ＣＰＲＩ  Ｌｉｎｋ  Ｎｏ．が「３」である光リンクＬ３で伝送される、ＡｘＣ  Ｎｏ．「１」，「２」，「４」に対応するデータ列を高品質データ列として選択する。
【００３７】
指示部５９は、リンク断の発生に応じて制御装置１０が一部の光リンクで伝送すべきデータ列を他の光リンクへ転送する場合、選択部５８で選択した高品質データ列を圧縮する旨を制御装置１０に対して指示する。例えば、指示部５９は、光リンクＬ１にリンク断が生じた旨を転送制御部５６から通知されると、上記の「圧縮指示信号」を用いて、選択部５８で選択した高品質データ列を圧縮する旨を制御装置１０の圧縮部１３−２，１３−３に対して指示する。これにより、制御装置１０の圧縮部１３−２，１３−３によって高品質データ列が圧縮され、「圧縮データ列」を含む複数のデータ列が光リンクＬ２，Ｌ３を介して無線通信装置５０へ送信される。その結果、制御装置１０における転送処理に適用される空き容量が光リンクＬ２，Ｌ３に確保される。
【００３８】
測定部６１−１〜６１−３は、解凍部５２−１〜５２−３における複数の圧縮データ列の各々の解凍にかかる解凍時間を測定し、測定した解凍時間に関する情報をタイミング制御部６２へ出力する。ここで、複数の「圧縮データ列」は、複数の「高品質データ列」が制御装置１０において圧縮されて得られるので、複数の「高品質データ列」のデータサイズが互いに異なる場合、複数の「圧縮データ列」のデータサイズも、図４に示すように、互いに異なる。このようなケースは、例えば、無線通信装置５０の複数のアンテナに対応する周波数帯が異なり、各周波数帯に属するキャリアの帯域幅が異なる場合等に、生じ得る。図４は、光通信フレームのうち複数の圧縮データ列がマッピングされている部分の一例を示す図である。図４では、網掛けの種類によって各圧縮データ列を区別している。
【００３９】
また、複数の「圧縮データ列」のデータサイズが互いに異なる場合、複数の「圧縮データ列」の各々の解凍にかかる解凍時間も互いに異なる。図５は、複数の圧縮データ列の各々の解凍にかかる解凍時間に関する情報の一例を示す図である。図５に示す情報では、「ＣＰＲＩ  Ｌｉｎｋ  Ｎｏ．」、「ＡｘＣ  Ｎｏ．」及び「解凍時間（ｃｈｉｐ）」が対応付けられる。「ＣＰＲＩ  Ｌｉｎｋ  Ｎｏ．」は、光リンクＬ１〜Ｌ３の各々を識別するための識別子である。「ＡｘＣ  Ｎｏ．」は、光リンクＬ１〜Ｌ３の各々で伝送されるデータ列（つまり、ＡｘＣ）を識別するための識別子である。「解凍時間（ｃｈｉｐ）」は、データ列が高品質データ列として圧縮されて得られる圧縮データ列の解凍にかかる解凍時間を示す。
【００４０】
図５では、ＣＰＲＩ  Ｌｉｎｋ  Ｎｏ．が「３」である光リンクＬ３で伝送される、ＡｘＣ  Ｎｏ．「１」，「２」，「４」に対応するデータ列が高品質データ列として圧縮された場合に、各圧縮データ列の解凍時間が「３」，「４」，「５」であることを示す。
【００４１】
タイミング制御部６２は、測定部６１−１〜６１−３で測定した解凍時間を用いて、解凍部５２−１〜５２−３で復元された高品質データ列の無線送信タイミングを同期させる制御を実行する。例えば、タイミング制御部６２は、バッファ５３−１〜５３−３に対して、上記の「同期制御信号」を出力する。そして、タイミング制御部６２は、測定部６１−１〜６１−３で測定した解凍時間のうち最大の解凍時間を特定し、最大の解凍時間と、最大の解凍時間以外の他の解凍時間との「差」をそれぞれ算出する。そして、タイミング制御部６２は、他の解凍時間に対応する高品質データ列をバッファする時間を、上記の「差」に対応する時間だけ、最大の解凍時間に対応する高品質データ列をバッファする時間よりも長くさせる。これにより、解凍部５２−１〜５２−３で復元された高品質データ列の無線送信タイミングを同期させることができる。
【００４２】
ここで、図５を用いてタイミング制御部６２による処理の一例を説明する。タイミング制御部６２は、図５に示した情報を参照して、ＣＰＲＩ  Ｌｉｎｋ  Ｎｏ．「３」及びＡｘＣ  Ｎｏ．「５」に対応する高品質データ列の解凍時間「５」を最大の解凍時間として特定する。そして、タイミング制御部６２は、最大の解凍時間である「５」と、他の解凍時間である「３」，「４」との「差」をそれぞれ算出する。そして、タイミング制御部６２は、他の解凍時間「３」に対応する高品質データ列をバッファする時間を、上記の「差」に対応する「２」だけ、最大の解凍時間「５」に対応する高品質データ列をバッファする時間よりも長くさせる。そして、タイミング制御部６２は、他の解凍時間「４」に対応する高品質データ列をバッファする時間を、上記の「差」に対応する「１」だけ、最大の解凍時間「５」に対応する高品質データ列をバッファする時間よりも長くさせる。
【００４３】
［無線通信装置の動作例］
以上の構成を有する無線通信装置５０の処理動作の一例について説明する。図６及び図７は、本実施例の無線通信装置によるリンク断救済処理の処理動作の一例を示すフローチャートである。
【００４４】
図６に示すように、無線通信装置５０において光ＩＦ部５１−１〜５１−３は、光通信フレームにマッピングされた、複数のデータ列を受信する（ステップＳ１０１）。
【００４５】
算出部５７−１〜５７−３は、光リンクＬ１〜Ｌ３の各々のデータ列毎の回線品質を算出する（ステップＳ１０２）。ここでは、回線品質としてＥＶＭが算出されるものとする。
【００４６】
転送制御部５６は、光リンクＬ１〜Ｌ３のうち一部のリンクにリンク断が生じたか否かを判定する（ステップＳ１０３）。転送制御部５６は、光リンクＬ１〜Ｌ３のうち一部のリンクにリンク断が生じていない場合（ステップＳ１０３；Ｎｏ）、処理をステップＳ１０１へ戻す。
【００４７】
転送制御部５６は、光リンクＬ１〜Ｌ３のうち一部のリンクにリンク断が生じた場合（ステップＳ１０３；Ｙｅｓ）、リンク断が生じた一部のリンク以外の他の光リンクに空き容量があるか否かを判定する（ステップＳ１０４）。転送制御部５６は、他の光リンクに空き容量がある場合（ステップＳ１０４；Ｙｅｓ）、処理をステップＳ１０７へ移行する。一方、転送制御部５６は、他の光リンクに空き容量がない場合（ステップＳ１０４；Ｎｏ）、リンク断が生じた旨を選択部５８及び指示部５９へ通知し、処理をステップＳ１０５へ移行する。
【００４８】
選択部５８は、リンク断が生じた旨を転送制御部５６から通知されると、高品質データ列選択処理を行う（ステップＳ１０５）。ステップＳ１０５で行われる高品質データ列選択処理を図６に示す。
【００４９】
図６に示す高品質データ列選択処理において、選択部５８は、以下の処理を行う。すなわち、選択部５８は、算出部５７−１〜５７−３で算出されたデータ列毎のＥＶＭを用いて、リンク断が生じた一部のリンク以外の他の光リンクで伝送される複数のデータ列のうちの１つを最初の判定対象としてセットする（ステップＳ１１１）。
【００５０】
選択部５８は、セットした判定対象のデータ列のＥＶＭが閾値以下であるか否かを判定する（ステップＳ１１２）。
【００５１】
選択部５８は、ＥＶＭが閾値以下であると判定された場合（ステップＳ１１２；Ｙｅｓ）、判定対象のデータ列を「高品質データ列」として選択する（ステップＳ１１３）。一方、選択部５８は、ＥＶＭが閾値よりも大きいと判定された場合（ステップＳ１１２；Ｎｏ）、判定対象のデータ列を「高品質データ列」として選択することなく、処理をステップＳ１１４へ移行する。
【００５２】
選択部５８は、全てのデータ列を判定対象としてセットし終えたか否かを判定し（ステップＳ１１４）、セットし終えていない場合（ステップＳ１１４；Ｎｏ）、次のデータ列を判定対象としてセットし（ステップＳ１１５）、処理をステップＳ１１２へ戻す。選択部５８は、全てのデータ列を判定対象としてセットし終えた場合（ステップＳ１１４；Ｙｅｓ）、処理を図６のステップＳ１０６へ戻す。
【００５３】
指示部５９は、リンク断が生じた旨を転送制御部５６から通知されると、選択部５８で選択した高品質データ列を圧縮する旨を制御装置１０に対して指示する（ステップＳ１０６）。これにより、制御装置１０の圧縮部によって高品質データ列が圧縮され、「圧縮データ列」を含む複数のデータ列が他の光リンクを介して無線通信装置５０へ送信される。その結果、制御装置１０における転送処理に適用される空き容量が他の光リンクに確保される。
【００５４】
その後、転送制御部５６は、セレクタ５４を制御して、リンク断が生じた一部の光リンクで伝送すべきデータ列を他の光リンクに対応する無線送信部５５−１〜５５−３へ転送する（ステップＳ１０７）。
【００５５】
図８は、本実施例の無線通信装置による無線送信タイミング制御処理の処理動作の一例を示すフローチャートである。
【００５６】
図８に示すように、無線通信装置５０において解凍部５２−１〜５２−３は、光ＩＦ部５１−１〜５１−３によって複数の「圧縮データ列」が受信された場合（ステップＳ１２１；Ｙｅｓ）、複数の「圧縮データ列」をそれぞれ解凍する（ステップＳ１２２）。これにより、複数の「高品質データ列」が復元される。
【００５７】
測定部６１−１〜６１−３は、解凍部５２−１〜５２−３における複数の圧縮データ列の各々の解凍にかかる解凍時間を測定する（ステップＳ１２３）。
【００５８】
タイミング制御部６２は、復元された複数の「高品質データ列」のデータサイズが同一である場合、すなわち、複数の圧縮データ列の各々の解凍にかかる解凍時間が同一である場合（ステップＳ１２４；Ｎｏ）、図８のフローを終了する。
【００５９】
一方、タイミング制御部６２は、複数の圧縮データ列の各々の解凍にかかる解凍時間が互いに異なる場合（ステップＳ１２４；Ｙｅｓ）、以下の処理を行う。すなわち、タイミング制御部６２は、測定部６１−１〜６１−３で測定した解凍時間を用いて、解凍部５２−１〜５２−３で復元された高品質データ列の無線送信タイミングを同期させる制御を実行する（ステップＳ１２５）。例えば、タイミング制御部６２は、バッファ５３−１〜５３−３に対して、上記の「同期制御信号」を出力する。そして、タイミング制御部６２は、測定部６１−１〜６１−３で測定した解凍時間のうち最大の解凍時間を特定し、最大の解凍時間と、最大の解凍時間以外の他の解凍時間との「差」をそれぞれ算出する。そして、タイミング制御部６２は、他の解凍時間に対応する高品質データ列をバッファする時間を、上記の「差」に対応する時間だけ、最大の解凍時間に対応する高品質データ列をバッファする時間よりも長くさせる。これにより、解凍部５２−１〜５２−３で復元された高品質データ列の無線送信タイミングを同期させることができる。
【００６０】
以上のように本実施例によれば、無線通信装置５０において光ＩＦ部５１−１〜５１−３は、光通信フレームにマッピングされた、複数のデータ列を受信する。複数のデータ列は、無線通信装置５０と複数の光リンクを介して接続された制御装置１０から送信される、無線送信の対象である複数のデータ列である。算出部５７−１〜５７−３は、複数の光リンクの各々のデータ列毎の回線品質を算出する。選択部５８は、複数の光リンクのうち一部の光リンクにリンク断が生じた場合、一部の光リンク以外の他の光リンクで伝送される複数のデータ列の中から、回線品質が所定条件を満たすデータ列である高品質データ列を選択する。指示部５９は、制御装置１０が一部の光リンクで伝送すべきデータ列を他の光リンクへ転送する場合、選択した高品質データ列を圧縮する旨を制御装置１０に対して指示する。
【００６１】
この無線通信装置５０の構成により、制御装置１０によって高品質データ列が圧縮されるので、他の光リンクで伝送されるデータ列にデータ欠落部分を発生させることなく、制御装置１０における転送処理に適用される空き容量が他の光リンクに確保される。その結果、無線信号の受信側装置における受信品質を保ちつつリンク断を救済することができる。
【００６２】
また、無線通信装置５０において解凍部５２−１〜５２−３は、複数の高品質データ列が制御装置１０において圧縮された複数の圧縮データ列が受信される場合、複数の圧縮データ列を解凍し複数の高品質データ列を復元する。測定部６１−１〜６１−３は、複数の圧縮データ列の各々の解凍にかかる解凍時間を測定する。タイミング制御部６２は、測定した解凍時間を用いて、復元された複数の高品質データ列の無線送信タイミングを同期させる。
【００６３】
この無線通信装置５０の構成により、受信された複数の圧縮データ列のデータサイズが異なる場合であっても、その複数の圧縮データ列を解凍することにより復元された複数の高品質データ列の無線送信タイミングを同期させることができる。この結果として、無線信号の受信側装置における受信品質の低下を防止できる。
【００６４】
［他の実施例］
上記実施例で図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００６５】
さらに、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしてもよい。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしてもよい。
【００６６】
上記実施例の無線通信装置は、例えば、次のようなハードウェア構成により実現することができる。
【００６７】
図９は、無線通信装置のハードウェア構成例を示す図である。図９に示すように、無線通信装置２００は、光モジュール２０１と、プロセッサ２０２と、メモリ２０３と、スイッチング回路２０４と、ＲＦ回路２０５〜２０７とを有する。プロセッサ２０２の一例としては、ＣＰＵ、ＤＳＰ（Digital  Signal  Processor）、ＦＰＧＡ（Field  Programmable  Gate  Array）等が挙げられる。また、メモリ２０３の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【００６８】
そして、上記本実施例の無線通信装置で行われる各種処理機能は、不揮発性記憶媒体などの各種メモリに格納されたプログラムをプロセッサで実行することによって実現してもよい。すなわち、解凍部５２−１〜５２−３と、転送制御部５６と、算出部５７−１〜５７−３と、選択部５８と、指示部５９と、測定部６１−１〜６１−３と、タイミング制御部６２とによって実行される各処理に対応するプログラムがメモリ２０３に記録され、各プログラムがプロセッサ２０２で実行されてもよい。また、光ＩＦ部５１−１〜５１−３は、光モジュール２０１によって実現される。また、バッファ５３−１〜５３−３は、メモリ２０３によって実現される。また、無線送信部５５−１〜５５−３は、ＲＦ回路２０５〜２０７によって実現される。
【符号の説明】
【００６９】
１０  制御装置
５０  無線通信装置
５１−１〜５１−３  光ＩＦ部
５２−１〜５２−３  解凍部
５７−１〜５７−３  算出部
５８  選択部
５９  指示部
６１−１〜６１−３  測定部
６２  タイミング制御部
Ｌ１〜Ｌ３  光リンク
【図１】
2017079380.tif 000003
【図２】
2017079380.tif 000004
【図３】
2017079380.tif 000005
【図４】
2017079380.tif 000006
【図５】
2017079380.tif 000007
【図６】
2017079380.tif 000008
【図７】
2017079380.tif 000009
【図８】
2017079380.tif 000010
【図９】
2017079380.tif 000011